(57)【特許請求の範囲】
【請求項１】
遊技球が流下可能な遊技領域が区画された略矩形板状の板部材と、前記板部材の背面に重ねて配置される枠状の裏ユニットとを備える遊技盤が取り付けられた遊技機であって、
前記板部材に、透光性を有する装飾部材を備えるセンター役物が装着され、
前記裏ユニットにおいて前記装飾部材の裏側となる位置よりも外周側の領域に、発光装置と、前記発光装置からの光を反射させる反射部材とが互いに隣接して設けられ、
前記発光装置は、前記裏ユニットにおいて前記反射部材よりも外周側に配置され、
前記発光装置の発光面は、前記裏ユニットの裏面から前記反射部材側に傾斜しており、
前記反射部材は、前記発光装置からの光を前記装飾部材側に反射させる反射面を有し、
前記反射面は、前記裏ユニットの裏面から前記発光装置側に傾斜して前記発光面と対向しており、
前記装飾部材には、前記発光装置からの光と、前記反射部材によって反射された光とが照射される
ことを特徴とする遊技機。
【請求項２】
前記発光装置は、発光体が実装される発光基板と、前記発光基板を収容するケース部材と、前記発光体の前側を覆うように前記ケース部材に取り付けられ、光拡散処理が施された前記発光面を有するレンズ部材とを備え、
前記レンズ部材は、
前記反射面に沿って配置されており、
前記発光体が発する光を拡散可能に構成されるとともに、前記反射面によって反射された光を受光可能に構成され、
前記発光体が発する光の進行方向を変更する機能と、前記反射部材によって反射された光をさらに反射させる機能とを有する
ことを特徴とする請求項１に記載の遊技機。
【請求項３】
前記反射面と前記発光面との間隔は、前記板部材側に行くに従って徐々に広くなっていることを特徴とする請求項１または２に記載の遊技機。
【請求項４】
前記反射部材は、前記発光装置側において開口する切欠凹部を有し、
前記切欠凹部の底面は前記反射面であり、
前記切欠凹部の内壁面は、前記反射面によって反射された光を反射させる再反射面であり、
前記再反射面は、前記発光面側または前記反射面側に向けて配置されている
ことを特徴とする請求項１乃至３のいずれか１項に記載の遊技機。
【発明の詳細な説明】
【技術分野】
【０００１】
本発明は、板部材と裏ユニットとを備える遊技盤が取り付けられた遊技機に関するものである。
【背景技術】
【０００２】
一般に、パチンコ機等に代表される遊技機は、遊技演出の一環としての発光演出を行うために、遊技盤や前枠などに各種の発光装置を備えている。そして、遊技盤が備える発光装置としては、例えば、複数の発光ダイオードを実装した発光基板をセンター役物の後方に配置し、発光ダイオードの光によってセンター役物を照らすもの（例えば特許文献１参照）などが従来提案されている。
【先行技術文献】
【特許文献】
【０００３】
【特許文献１】特開２００８−９２９９２号公報（図２２，図２５等）
【発明の概要】
【発明が解決しようとする課題】
【０００４】
ところが、近年のパチンコ機は、複数の可動体（または大型化した可動体）を備える傾向にある。そして、これらの可動体は、例えば、センター役物の後方に配置され、センター役物に設けられた開口部内などを通過するようになっている。この場合、センター役物の後方空間が可動体によって占められてしまう可能性が高い。その結果、センター役物の後方に発光装置の設置スペースを確保することが困難になるため、発光装置からの光によってセンター役物を照射することができない可能性がある。なお、可動体の移動領域外であるセンター役物の側方に発光装置の設置スペースを確保することも考えられる。しかし、この場合、発光装置がセンター役物から離間してしまうため、発光装置からの光によってセンター役物を効果的に照射できないという問題がある。
【０００５】
本発明は上記の課題に鑑みてなされたものであり、その目的は、発光装置の設置スペースを確実に確保することができ、かつ、センター役物を効果的に照射することが可能な遊技機を提供することにある。
【課題を解決するための手段】
【０００６】
上記の課題を解決するために、請求項１（手段１）に記載の発明は、遊技球が流下可能な遊技領域が区画された略矩形板状の板部材と、前記板部材の背面に重ねて配置される枠状の裏ユニットとを備える遊技盤が取り付けられた遊技機であって、前記板部材に、透光性を有する装飾部材を備えるセンター役物が装着され、前記裏ユニットにおいて前記装飾部材の裏側となる位置よりも外周側の領域に、発光装置と、前記発光装置からの光を反射させる反射部材とが互いに隣接して設けられ、前記発光装置は、前記裏ユニットにおいて前記反射部材よりも外周側に配置され、前記発光装置の発光面は、前記裏ユニットの裏面から前記反射部材側に傾斜しており、前記反射部材は、前記発光装置からの光を前記装飾部材側に反射させる反射面を有し、前記反射面は、前記裏ユニットの裏面から前記発光装置側に傾斜して前記発光面と対向しており、前記装飾部材には、前記発光装置からの光と、前記反射部材によって反射された光とが照射されることを特徴とする遊技機をその要旨とする。
【０００７】
従って、請求項１に記載の発明では、センター役物の後方空間が上記した可動体によって占められてしまう場合であっても、可動体の移動領域外、具体的には、裏ユニットにおいて装飾部材の裏側となる位置よりも外周側の領域を、発光装置の設置スペースとして確実に確保することができる。しかも、裏ユニットにおいて装飾部材の裏側となる位置よりも外周側の領域には反射部材が設けられており、装飾部材には、発光装置からの光に加えて、反射部材によって反射された光も照射されるようになっている。従って、上記した領域を発光装置の設置スペースとして確保したために、発光装置がセンター役物から離間する場合であっても、センター役物において特に照射したい部位である装飾部材を、効果的に照射することができる。
【０００８】
なお、板部材は、着色された材料によって形成されていてもよいし、無色透明の材料によって形成されていてもよい。仮に、板部材を着色された材料によって形成すれば、板部材を装飾性を有する部材として用いることができる。一方、板部材を無色透明の樹脂材料によって形成すれば、裏ユニットに図柄表示装置を取り付けた際に、図柄表示装置の表示画面が板部材を介して視認可能となる。
【００１０】
また、請求項１に記載の発明によると、発光装置の発光面が裏ユニットの裏面から反射部材側に傾斜しているため、発光装置からの光が反射部材側に向かって進むようになる。その結果、発光装置からの光が反射部材によって反射されて確実に装飾部材に到達するようになるため、装飾部材をより効果的に照射することができる。
【００１１】
請求項２（手段３）に記載の発明は、請求項１において、前記発光装置は、発光体が実装される発光基板と、前記発光基板を収容するケース部材と、前記発光体の前側を覆うように前記ケース部材に取り付けられ、光拡散処理が施された前記発光面を有するレンズ部材とを備え、前記レンズ部材は、前記反射面に沿って配置されており、前記発光体が発する光を拡散可能に構成されるとともに、前記反射面によって反射された光を受光可能に構成され、前記発光体が発する光の進行方向を変更する機能と、前記反射部材によって反射された光をさらに反射させる機能とを有することをその要旨とする。
【００１２】
従って、請求項２に記載の発明によると、発光体の前側にレンズ部材を設けたことにより、発光体が発する光の進行方向を確実に変更することができるとともに、反射部材によって反射された光を確実に反射させることができる。特に、発光体が発光ダイオードであるような場合には、指向性が強くて照射角が狭いという性質があり、そのままでは発光体が点状に光ってしまうという問題がある。その点、請求項２に記載の発明によれば、上記のレンズ部材を設けたことにより、指向性が強くて照射角が狭い光の角度が変更される結果、発光ダイオードが点状に光ることを防止できる。また、レンズ部材を設けた請求項２に記載の発明によれば、発光体を確実に保護することができる。
【００１３】
なお、発光体としては、電気エネルギーを光エネルギーに変換する任意の発光体のうちから、任意に選択することが可能である。ここで、好適な発光体としては、エネルギー変換部としてフィラメント等のような抵抗体の発熱発光現象を利用した小型電球（ランプ）、放電現象を利用した蛍光管、エレクトロルミネッセンス現象を利用したエレクトロルミネッセンス素子（ＥＬ素子）、半導体の性質を利用した発光ダイオード（ＬＥＤ）などが挙げられるが、特には、発光ダイオードであることが好ましい。発光ダイオードは、消費電力が少なく、寿命が長いため、遊技機の低コスト化を図ることができる。また、発光ダイオードは小型化が容易であるため、複数の発光体を実装面に実装したとしても、発光基板、ひいては発光装置全体の大型化を抑えることができる。
【００１４】
レンズ部材は、透光性を有する材料（例えば樹脂やガラス等）によって形成されることが好ましく、特に割れにくい光透過性樹脂によって形成されることが好適である。レンズ部材の発光面に施される光拡散処理としては特に限定されないが、例えば、発光面に微細な凹凸を設ける加工（ディンプル加工、シボ加工、溝加工、サンドブラスト加工、ショットプブラスト加工など）を施したものであることがよい。
【００１５】
請求項３（手段４）に記載の発明は、請求項１または２において、前記反射面と前記発光面との間隔は、前記板部材側に行くに従って徐々に広くなっていることをその要旨とする。
【００１６】
従って、請求項３に記載の発明によると、反射部材が発光装置の発光面と対向する反射面を有しているため、発光装置からの光を確実に装飾部材側に反射させることができる。よって、反射部材によって反射された光が確実に装飾部材に到達するようになるため、装飾部材をよりいっそう効果的に照射することができる。
【００１７】
なお、前記反射面は、前記発光装置側に凸となる湾曲形状をなしていることが好ましい。
【００１８】
このようにした場合、反射面が発光装置側に凸となる湾曲形状をなしているため、反射面によって反射された光は幅広い範囲に照射されるようになる。よって、反射部材によって反射された光がより確実に装飾部材に到達するようになるため、装飾部材をよりいっそう効果的に照射することができる。
【００１９】
請求項４（手段６）に記載の発明は、請求項１乃至３のいずれか１項において、前記反射部材は、前記発光装置側において開口する切欠凹部を有し、前記切欠凹部の底面は前記反射面であり、前記切欠凹部の内壁面は、前記反射面によって反射された光を反射させる再反射面であり、前記再反射面は、前記発光面側または前記反射面側に向けて配置されていることをその要旨とする。
【００２０】
従って、請求項４に記載の発明によると、反射面によって反射された光が再反射面によって再度反射されることにより、より複雑な方向に照射されるようになる。その結果、多様な発光態様を実現することができ、装飾部材をよりいっそう効果的に照射することができる。
【発明の効果】
【００２１】
以上詳述したように、請求項１〜４に記載の発明によれば、発光装置の設置スペースを確実に確保することができ、かつ、センター役物を効果的に照射することが可能な遊技機を提供することができる。特に、請求項１に記載の発明によれば、発光装置からの光が反射部材によって反射されて確実に装飾部材に到達するようになるため、装飾部材をより効果的に照射することができる。
【図面の簡単な説明】
【００２２】
【図１】本発明におけるパチンコ機を示す正面図。
【図２】遊技盤を示す正面図。
【図３】センター役物を正面側から見たときの状態を示す斜視図。
【図４】センター役物を背面側から見たときの状態を示す斜視図。
【図５】センター役物を示す分解斜視図。
【図６】裏ユニットを示す正面図。
【図７】裏ユニットを示す正面図。
【図８】図６のＡ−Ａ線断面図。
【図９】図６のＢ−Ｂ線断面図。
【図１０】裏ユニットを示す要部正面図。
【図１１】裏ユニットを示す要部断面図。
【図１２】（ａ）は発光装置を正面側から見たときの状態を示す分解斜視図、（ｂ）は発光装置を背面側から見たときの状態を示す分解斜視図。
【図１３】（ａ）は反射部材を正面側から見たときの状態を示す斜視図、（ｂ）は反射部材を背面側から見たときの状態を示す斜視図。
【発明を実施するための形態】
【００２３】
以下、本発明の遊技機をパチンコ機１０に具体化した一実施形態を図面に基づき説明する。
【００２４】
（１）パチンコ機１０全体の概略構成
図１には、パチンコ機１０の機表側が略示されている。このパチンコ機１０は機体の外郭をなす縦長方形状の外枠１１を備えている。外枠１１の開口前面側には、機体を構成する縦長方形状の中枠１２が、開閉及び着脱自在に組み付けられている。また、中枠１２の前面側には、前枠１４が横開き状態で開閉可能に組み付けられている。前枠１４は、中央部に窓口１４ａを有するとともに、窓口１４ａの下方に上球皿１５が一体的に組み付けられた構造を有している。前枠１４の裏面側には、機内部に配置された遊技盤１３を透視保護するためのガラス（図示略）が組み付けられている。
【００２５】
また、前枠１４の前面には、上側枠ランプ１６ａ、左側枠ランプ１６ｂ及び右側枠ランプ１６ｃが設けられている。各枠ランプ１６ａ〜１６ｃは、図示しない発光体（発光ダイオードなど）を備え、同発光体にレンズ部材を覆い被せて構成されている。これらの枠ランプ１６ａ〜１６ｃでは、パチンコ機１０の各種遊技の演出態様（大当り、リーチなど）に応じて点灯（点滅）・消灯などの発光装飾が行われるようになっている。
【００２６】
図１に示されるように、前枠１４の左上部には左スピーカ１７ａが配設され、前枠１４の右上部には右スピーカ１７ｂが配設されている。左スピーカ１７ａ及び右スピーカ１７ｂは、各種音声を出力して音声演出を行うためのものである。左スピーカ１７ａ及び右スピーカ１７ｂは前枠１４の裏面側に装着され、前枠１４の前面側において左スピーカ１７ａ及び右スピーカ１７ｂと対応する箇所には複数の放音孔（図示略）が形成されている。
【００２７】
さらに、中枠１２の前面側において前枠１４の下方には、下球皿１８が開閉可能に組み付けられている。下球皿１８の右方には、遊技球を発射する際に遊技者によって回動操作される操作ハンドル１９が装着されている。また、下球皿１８の左方には、各種音声を出力して音声演出を行う下スピーカ１７ｃが配設されている。なお、下スピーカ１７ｃは中枠１２に装着されている。
【００２８】
（２）遊技盤１３の構成
図２，図６，図７等に示されるように、遊技盤１３は、パチンコ機１０に取り付けられており、板部材３１と、板部材３１の背面に重ねて配置された裏ユニット４１とを備えている。板部材３１及び裏ユニット４１は、複数のネジ（図示略）によって互いに固定されている。板部材３１は、ベニヤ板などの木製基板の表面に樹脂製のセルを貼付することによって略矩形板状に形成されている。一方、裏ユニット４１は、板部材３１と略同じ外形を有し、樹脂材料（例えば、無色透明のＡＢＳ樹脂等）の射出成形によって略矩形枠状に形成されている。なお、裏ユニット４１の裏側には、図柄表示装置（図示略）が着脱自在に取り付けられるようになっている。本実施形態の図柄表示装置は液晶式であるが、ドットマトリクス式、エレクトロルミネッセンス素子式、７セグメント式の図柄表示装置であってもよい。図柄表示装置では、変動画像（または画像表示）に基づく遊技演出（表示演出）が行われるようになっている。そして、図柄表示装置では、表示演出に関連して、複数種類の図柄を３列で変動させて図柄組み合わせを導出させる図柄変動ゲームが表示されるようになっている。
【００２９】
（２−１）板部材３１の構成
図１，図２に示されるように、板部材３１の前面（即ち、遊技盤１３の遊技盤面１３ａ）には、遊技球が流下可能な遊技領域３２を区画する内レール３３ａ及び外レール３３ｂが略円形状に敷設されている。内レール３３ａと外レール３３ｂとの間に生じる発射経路には、操作ハンドル１９を操作した際に発射された遊技球が通過するようになっている。そして、発射経路を通過した遊技球は、発射経路の終端部から遊技領域３２に進入し、遊技領域３２内を流下するようになっている。
【００３０】
図１〜図５に示されるように、遊技盤面１３ａの略中央部には、開口部５０ａを有する枠状のセンター役物５０が装着されている。センター役物５０の下部には、遊技領域３２から導入された遊技球が転動するステージ７１が設けられている。センター役物５０の左下部には、遊技領域３２からステージ７１に遊技球を誘導するワープ通路７２が設けられている。また、ワープ通路７２の左上方には、遊技領域３２内を流下する遊技球が通過するスルーチャッカ７３が設けられている。ワープ通路７２は、略筒状をなす通路部材７４によって構成されている。通路部材７４は、上流側端部がスルーチャッカ７３内に連通するとともに、下流側端部がステージ７１において開口している。また、開口部５０ａの下側部分は、ステージ７１の後壁７７によって塞がれている。
【００３１】
さらに、センター役物５０の右側部（図４では左側部）には、右側装飾部材７５が取り付けられている。右側装飾部材７５は、センター役物５０の右側部の大部分を覆っており、下端部がステージ７１に当接するようになっている。また、右側装飾部材７５は、開口部５０ａの開口方向に沿って裏ユニット４１側に延びている。なお、右側装飾部材７５は、樹脂材料（例えば、黒色に着色したＡＢＳ樹脂等）の射出成形によって形成されている。そして、右側装飾部材７５の表面全体には、鏡面処理が施されるとともに、光拡散処理（本実施形態では波模様）が施されている。
【００３２】
図１〜図５に示されるように、センター役物５０の左側部（図４では右側部）には、左側装飾部材７８が取り付けられている。左側装飾部材７８は、センター役物５０の左側部の大部分を覆っており、下端部にスルーチャッカ７３が配置されている。また、左側装飾部材７８は、左側に凸となる湾曲形状をなしている。さらに、左側装飾部材７８は、板部材３１の厚さ方向に沿って裏ユニット４１側に延びており、発光面が遊技盤面１３ａに対して略垂直に配置されている。なお、左側装飾部材７８は、樹脂材料（例えば、赤色に着色した透光性を有するＡＢＳ樹脂等）の射出成形によって形成されている。そして、左側装飾部材７８の表面全体には、光拡散処理（本実施形態では波模様）が施されている。
【００３３】
図１，図２に示されるように、遊技盤面１３ａ上におけるセンター役物５０の下方位置には、始動入賞口５１ａが形成された始動入賞装置５１が配設されている。なお、始動入賞装置５１への遊技球の入賞を契機として図柄表示装置による図柄変動ゲームが開始されると、所定数（本実施形態では３個）の賞球の払い出しが行われるようになっている。
【００３４】
また、遊技盤面１３ａ上における始動入賞装置５１の下方には、図示しないソレノイドにより開閉動作を行う大入賞口扉５２ａを備えた大入賞装置５２が配設されている。大入賞装置５２では、大入賞口への遊技球の入賞を契機として、所定数（本実施形態では１５個）の賞球の払い出しが行われるようになっている。さらに、遊技盤面１３ａ上におけるセンター役物５０の左側には、遊技球の通過を検知する機能を有するゲート５３が設けられている。ゲート５３は、上下方向に開口しており、遊技領域３２内を流下する遊技球が上方から通過可能になっている。
【００３５】
図１，図２に示されるように、遊技盤面１３ａにおいて始動入賞装置５１の左方には、左下外普通入賞装置５８ａ、左下中普通入賞装置５８ｂ及び左下内普通入賞装置５８ｃが配設されている。各普通入賞装置５８ａ〜５８ｃは、遊技球が常時入賞可能となっており、互いに連なった状態に配置されている。さらに、遊技盤面１３ａにおいて始動入賞装置５１の右上方には、右普通入賞装置５８ｄが配設されている。右普通入賞装置５８ｄには遊技球が常時入賞可能となっている。なお、各普通入賞装置５８ａ〜５８ｄでは、遊技球の入賞を契機として、所定数（本実施形態では１０個）の賞球の払い出しが行われるようになっている。
【００３６】
また、遊技領域３２内には風車３４が配設され、遊技領域３２の略全域には複数の遊技釘３５が植設されている。風車３４及び遊技釘３５は、遊技領域３２内を流下する遊技球の方向を変更するとともに、各入賞装置５１，５２，５８ａ〜５８ｃに向けて遊技球を誘導可能となっている。また、遊技領域３２の最下部（内レール３３ａの下端部）には、いずれの入賞装置５１，５２，５８ａ〜５８ｄにも入賞しなかった遊技球を回収するためのアウト口５７が配置されている。
【００３７】
（２−２）裏ユニット４１の構成
図６，図７等に示されるように、裏ユニット４１は、正面視略矩形板状の本体部４２と、本体部４２の外周縁から前側に延びる４つの壁部４３，４４，４５，４６とによって箱状に構成されている。本体部４２の略中央には、図柄表示装置が取り付けられる略矩形状の表示装置取付孔４７が設けられている。表示装置取付孔４７は、図柄表示装置の表示画面と略同じ大きさ及び形状をなしている。よって、図柄表示装置の表示画面は、表示装置取付孔４７及びセンター役物５０の開口部５０ａを介して板部材３１の前面側から視認可能となる。また、本体部４２の前面側には、普通入賞装置５８ａ〜５８ｃに連通する左普通入賞装置用球通路（図示略）、右普通入賞装置５８ｄに連通する右普通入賞装置用球通路４８、及び、始動入賞装置５１に連通する始動入賞装置用球通路４９が設けられている。
【００３８】
さらに、本体部４２における表示装置取付孔４７の下側には、始動入賞装置裏基板取付部６１が設定されている。始動入賞装置裏基板取付部６１には、発光ダイオードの発光などによる遊技演出を実行させる制御を行うためのランプ中継信号基板（図示略）が取り付けられている。また、本体部４２における表示装置取付孔４７の右下側には、右普通入賞装置裏基板取付部６２が設定されている。右普通入賞装置裏基板取付部６２には、主制御基板（図示略）から統括制御基板（図示略）に出力される信号を中継する電源中継基板（図示略）が取り付けられている。
【００３９】
図６〜図１０に示されるように、本体部４２における表示装置取付孔４７の左上側には、中継基板６３が取り付けられる中継基板取付部６４が設定されている。また、本体部４２には、中継基板６３の前面を覆う基板カバー２１が取り付けられている。そして、基板カバー２１には、前側に突出する略円筒状のボス２２，２３が設けられている。ボス２２，２３には、先端面（前端面）において開口するネジ穴が設けられている。さらに、ボス２３には、先端面から突出する位置決めピンが設けられている。
【００４０】
また、本体部４２における中継基板取付部６４の下側には、前側に突出する略円筒状のボス２５が設けられ、本体部４２における中継基板取付部６４の右側にも、前側に突出する略円筒状のボス２６が設けられている。ボス２５，２６には、先端面において開口するネジ穴が設けられている。さらに、ボス２５には、先端面から突出する位置決めピンが設けられている。
【００４１】
図６，図７に示されるように、本体部４２における表示装置取付孔４７の開口端下部には、基台１１１が取り付けられている。基台１１１は、樹脂材料（例えば、赤色に着色したＡＢＳ樹脂等）の射出成形によって形成されている。基台１１１は、表示装置取付孔４７の開口部下端縁に沿って横方向に延びるとともに、両端部が上方に延びる形状をなしている。基台１１１の左側部分には、前側に突出する略円筒状の基台側ボス（図示略）が３箇所に設けられている。各基台側ボスには、先端面において開口するネジ穴が設けられている。さらに、各基台側ボスのうちの１つには、先端面から突出する位置決めピンが設けられている。
【００４２】
また、本体部４２における表示装置取付孔４７の右下側には、右下可動体（図示略）が取り付けられる右下可動体取付部６５が設定されている。本体部４２における表示装置取付孔４７の右上側には、右上可動体６６（図１，図２参照）が取り付けられる右上可動体取付部６７が設定されている。本体部４２における表示装置取付孔４７の上側には、第１上部可動体６８及び第２上部可動体６９（図１，図２参照）が取り付けられる上部可動体取付部７０が設定されている。なお、上述した複数の可動体のうち、右上可動体６６、第１上部可動体６８及び第２上部可動体６９は、センター役物５０の裏側の空間に配置されている。
【００４３】
（３）第１上部可動体６８の構成
図６〜図９等に示されるように、第１上部可動体６８は、正面視で略円弧状をなす一対の可動体本体１０１を備えている。両可動体本体１０１は、樹脂材料（例えば、黒色に着色したＡＢＳ等）の射出成形によって形成され、表面には鏡面処理（本実施形態では金色のめっき）が施されている。可動体本体１０１は、一方の端部に設けられた接続部材１０３を介して、裏ユニット４１の裏面４１ａに対して垂直に延びる軸１０２に取り付けられている。両可動体本体１０１は、軸１０２を中心として揺動し、かつ、互いに開閉するようになっている。なお、左側の可動体本体１０１は、反射部材１４１の裏側に設定された待機位置（図７参照）、及び、表示装置取付孔４７内の中央領域に設定された露出位置（図６参照）の間を揺動する。左側の可動体本体１０１が待機位置にある場合（即ち、両可動体本体１０１が開状態にある場合）、左側の可動体本体１０１は、反射部材１４１の裏側に位置するために視認困難である。このとき、左側の可動体本体１０１は、発光装置８１及び反射部材１４１の裏側の空間Ｓ１（図８参照）を占めている。そして、左側の可動体本体１０１が待機位置から露出位置に移動する際（即ち、両可動体本体１０１が閉状態に移行する場合）に、左側の可動体本体１０１は、センター役物５０の開口部５０ａを介して視認可能となるとともに、反射部材１４１の表面に映り込むようになる。
【００４４】
（４）発光装置８１の構成
図６〜図１２に示されるように、裏ユニット４１において左側装飾部材７８の裏側となる位置よりも外周側の領域であって、本体部４２において表示装置取付孔４７よりも左側となる領域には、発光装置８１が設けられている。発光装置８１は、右上可動体６６、第１上部可動体６８及び第２上部可動体６９の占有領域外及び移動領域外に配置されている。具体的に言うと、発光装置８１は、第１上部可動体６８を構成する左側の可動体本体１０１の移動領域よりも前側に配置されている。発光装置８１は、発光基板８２、ケース部材８３及びレンズ部材８４を備えている。発光基板８２は、略矩形板状をなし、外周縁において開口する切欠部８５を複数箇所に有している。また、発光基板８２の実装面８２ａには、複数の発光ダイオード８６（発光体）が実装されている。
【００４５】
ケース部材８３は、樹脂材料（例えば、無色透明のＡＢＳ樹脂等）の射出成形によって形成されている。ケース部材８３は、正面視略矩形板状の本体部８７と、本体部８７の外周縁から前側に延びる４つの壁部８８，８９，９０，９１とによって箱状に形成されている。なお、壁部９０，９１は本体部８７に対して直交しているが、壁部８８，８９は本体部８７に対して互いに同一方向及び同一角度で傾斜している。
【００４６】
図１２（ａ）に示されるように、本体部８７には、前側に突出する位置決めリブ９２が複数箇所に設けられている。各位置決めリブ９２は壁部８９に接続されている。各位置決めリブ９２の高さは、壁部８８〜９１の高さよりも低く設定されている。また、本体部８７には、前側に突出する略円筒状のボス９３が複数箇所に設けられ、同じく前側に突出する位置決めピン９４が複数箇所に設けられている。各ボス９３及び各位置決めピン９４は、壁部８８または壁部８９に接続されている。各ボス９３の高さは、壁部８８〜９１の高さと等しく設定され、各位置決めピン９４の高さは、壁部８８〜９１の高さよりも高く設定されている。そして、ケース部材８３には発光基板８２が収容されている。具体的に言うと、発光基板８２は、裏面８２ｂが各位置決めリブ９２の先端面に当接するとともに、各切欠部８５内に各ボス９３及び各位置決めピン９４が配置された状態で、発光基板８２に収容されている。なお、発光基板８２の実装面８２ａは、裏ユニット４１の裏面４１ａから反射部材１４１側に傾斜している。本実施形態において、実装面８２ａと裏面４１ａとがなす傾斜角度θ１（図１１参照）は６０°に設定されている。
【００４７】
図６〜図１２に示されるように、本体部８７における壁部８８との接続部分には、後側に延びる一対の張出部９５，９６が設けられている。両張出部９５，９６の基端側にはネジ孔９７が設けられ、両張出部９５，９６の先端側には位置決め孔９８が設けられている。また、本体部８７における壁部９１との接続部分には後側に延びるリブ９９が設けられ、リブ９９における壁部８９との接続部分には、リブ９９の外側面から突出する張出部１２１が設けられている。張出部１２１の中央部分にはネジ孔１２２が設けられている。さらに、壁部８９との壁部９０との接続部分には、壁部９０の外側面から突出する張出部１２３が設けられている。張出部１２３の基端側には位置決め孔１２４が設けられ、張出部１２３の先端側にはネジ孔１２５が設けられている。なお、張出部９５の位置決め孔９８にボス２３の位置決めピンを係合させ、張出部９６の位置決め孔９８にボス２５の位置決めピンを係合させた状態で、各張出部９５，９６のネジ孔９７を挿通したネジをボス２３，２５のネジ穴に螺着させる。また、張出部１２１のネジ孔１２２を挿通したネジをボス２２のネジ穴に螺着させる。さらに、張出部１２３の位置決め孔１２４に基台側ボスの位置決めピンを係合させた状態で、張出部１２３のネジ孔１２５を挿通したネジを基台側ボスのネジ穴に螺着させる。その結果、壁部８８，８９が裏ユニット４１の裏面４１ａと平行に配置されるとともに、壁部９０，９１が裏面４１ａと垂直に配置された状態で、ケース部材８３が本体部４２に固定される。
【００４８】
図６〜図１２に示されるように、レンズ部材８４は、各発光ダイオード８６の前側を覆うようにケース部材８３に取り付けられている。レンズ部材８４は、樹脂材料（例えば、無色透明のＡＢＳ樹脂等）の射出成形によって形成されており、光拡散処理（本実施形態では網目模様）が施された発光面１２６を有している。レンズ部材８４は、発光面１２６を有する正面視略矩形板状の本体部１２７と、本体部１２７の外周縁からケース部材８３側に延びる４つの壁部１２８，１２９，１３０，１３１とによって形成されている。
【００４９】
図１２（ｂ）等に示されるように、本体部１２７には、ケース部材８３側に突出する位置決めリブ１３２が複数箇所に設けられている。各位置決めリブ１３２は壁部１２８に接続されている。各位置決めリブ１３２の高さは、壁部１２８〜１３１の高さよりも高く設定されている。また、本体部１２７には、ネジ孔を有するボス１３３と位置決め穴を有するボス１３４とが複数箇所に設けられている。各ボス１３３，１３４は、壁部１２８または壁部１２９に接続されている。各ボス１３３，１３４は、ケース部材８３側に突出しており、各ボス１３３，１３４の高さは、壁部１２８〜１３１の高さと等しく設定されている。なお、レンズ部材８４は、ボス１３４の位置決め穴に位置決めピン９４を係合させた状態で、ボス１３３のネジ孔を挿通したネジをボス９３のネジ穴に螺着させることにより、ケース部材８３に取り付けられる。このとき、ケース部材８３内に収容されている発光基板８２は、ケース部材８３とレンズ部材８４との間に挟み込まれ、ケース部材８３側の位置決めリブ９２の先端面とレンズ部材８４側の位置決めリブ１３２の先端面とに当接した状態で固定される。また、レンズ部材８４の発光面１２６は、裏ユニット４１の裏面４１ａから反射部材１４１側に傾斜しており、発光基板８２の実装面８２ａと平行に配置されている。本実施形態において、発光面１２６と裏面４１ａとがなす傾斜角度θ２（図１１参照）は６０°に設定されている。なお、発光面１２６の下端部は、裏面４１ａに対して垂直に配置されている。また、レンズ部材８４は、各発光ダイオード８６が発する光の進行方向を、反射部材１４１側（図１１の矢印Ｆ１参照）とセンター役物５０の左側装飾部材７８側（図１１の矢印Ｆ２参照）とに変更する機能を有している。さらに、レンズ部材８４は、反射部材１４１によって反射された光をさらに左側装飾部材７８側に反射させる機能も有している。
【００５０】
（５）反射部材１４１の構成
図６〜図１１，図１３に示されるように、裏ユニット４１において左側装飾部材７８の裏側となる位置よりも外周側の領域であって、本体部４２において表示装置取付孔４７よりも左側となる領域には、反射部材１４１が設けられている。反射部材１４１は、発光装置８１からの光を反射させるとともに、反射した光をセンター役物５０側の左側装飾部材７８に照射する機能を有している。なお、反射部材１４１は、裏ユニット４１において発光装置８１と隣接するように配置され、かつ、発光装置８１よりも内周側に配置されている。また、反射部材１４１は、右上可動体６６、第１上部可動体６８及び第２上部可動体６９の占有領域外及び移動領域外に配置されている。具体的に言うと、反射部材１４１は、第１上部可動体６８を構成する左側の可動体本体１０１の移動領域よりも前側に配置されている。反射部材１４１を構成する反射部材本体１４２は、本体部４２における表示装置取付孔４７の上側から表示装置取付孔４７の下側まで延びている。また、反射部材本体１４２は、裏ユニット４１の壁部４５側に凸となる湾曲形状をなしている。
【００５１】
反射部材本体１４２は、樹脂材料（例えば、黒色に着色したＡＢＳ等）の射出成形によって形成され、全面に鏡面処理（本実施形態では金色のめっき）が施されている。反射部材本体１４２は、正面視略円弧状の前板部１４３と、前板部１４３の外周縁から後側に延びる４つの壁部１４４，１４５，１４６，１４７とによって形成されている。前板部１４３の外側面は、裏ユニット４１の裏面４１ａから内周側に傾斜している。本実施形態では、前板部１４３の外側面と裏面４１ａとがなす傾斜角度は３０°に設定されている。反射部材本体１４２の外周側（発光装置８１側）の壁部１４４及び内周側（表示装置取付孔４７側）の壁部１４５は、前板部１４３に対して互いに同一方向及び同一角度で傾斜するとともに、壁部４５側（及び発光装置８１側）に凸となる湾曲形状をなしている。また、反射部材本体１４２の上端部側の壁部１４６及び下端部側の壁部１４７は、前板部１４３に対して直交している。
【００５２】
図６，図７，図９〜図１１，図１３に示されるように、外周側の壁部１４４における後端部分には、外周側に延びる３個の張出部１４８，１４９，１５０が互いに離間した状態で配設されている。各張出部１４８〜１５０の中央部分にはネジ孔１５１が設けられている。なお、最も上側にある張出部１４８のネジ孔１５１を挿通したネジをボス２６のネジ穴に螺着させる。また、残り２つの張出部１４９，１５０を挿通したネジを、それぞれ基台側ボスのネジ穴に螺着させる。その結果、反射部材本体１４２が裏ユニット４１の本体部４２に固定される。
【００５３】
また、反射部材本体１４２には発光基板１５２が収容されている。具体的に言うと、発光基板１５２は、実装面１５３を前板部１４３側に向けた状態で反射部材本体１４２に収容されている。なお、発光基板１５２の実装面１５３には、複数の発光ダイオード（図示略）が実装されている。そして、反射部材本体１４２の前板部１４３には、３つのレンズ部材１５４が発光ダイオードの前側を覆うように取り付けられている。各レンズ部材１５４は、反射部材本体１４２が延びる方向に沿って等間隔に配置されている。各レンズ部材１５４は、正面視での形状が略台形状をなし、反射部材本体１４２の内周側から見たときの形状が略三角形状をなしている。各レンズ部材１５４は、樹脂材料（例えば、無色透明のＡＢＳ樹脂等）の射出成形によって形成され、表面には各種の模様が施されている。
【００５４】
なお、本実施形態の反射部材１４１は、従来から用いられている反射部材の一部を切り欠くことによって形成されたものである。具体的に言うと、図６〜図１１，図１３に示されるように、反射部材本体１４２は、外周側の壁部１４４の一部を切り落とすことによって形成された平坦面１５５を有している。平坦面１５５は、発光装置８１側のレンズ部材８４の発光面１２６に対向配置され、かつ、発光面１２６の下端部と平行に配置されている。
【００５５】
さらに、反射部材本体１４２は、発光装置８１側において開口する切欠凹部１５６を有している。切欠凹部１５６は、反射部材本体１４２において最も上側に位置するレンズ部材１５４の近傍から反射部材本体１４２において真ん中に位置するレンズ部材１５４の下側まで延びている。切欠凹部１５６の底面は、発光装置８１からの光を左側装飾部材７８側（図１１に示す矢印Ｆ３方向）に反射させる反射面１５７である。反射面１５７の幅は、反射部材本体１４２の前板部１４３の幅の３分の１程度に設定されている。反射面１５７の長さは、レンズ部材８４の上端から下端までの長さとほぼ等しく設定されている。反射面１５７は、裏ユニット４１の裏面４１ａから発光装置８１側に傾斜して発光面１２６と対向している。本実施形態では、反射面１５７と裏面４１ａとがなす傾斜角度θ３は４５°に設定されている。よって、反射面１５７と発光面１２６との間隔は、板部材３１側、即ち前方（図１１では上方）に行くに従って徐々に広くなっている。さらに、反射面１５７は、発光装置８１側に凸となる湾曲状をなしている。
【００５６】
図６，図７，図９〜図１１，図１３に示されるように、切欠凹部１５６の内壁面は、反射面１５７の両端にそれぞれ接続され、反射面１５７によって反射された光を反射させる再反射面１５８，１５９である。各再反射面１５８，１５９は、裏ユニット４１の裏面４１ａに対して垂直に配置されている。反射面１５７の上端に接続される再反射面１５８は、発光面１２６側に向けて配置され、反射面１５７によって反射された光を発光面１２６側（図１０に示す矢印Ｆ４方向）に反射させるようになっている。また、反射面１５７の下端に接続される再反射面１５９は、反射面１５７側に向けて配置され、反射面１５７によって反射された光を再度反射面１５７側に反射させるようになっている。
【００５７】
次に、センター役物５０の左側装飾部材７８を照らす発光演出を説明する。
【００５８】
発光装置８１内の発光ダイオード８６が光を発すると、光の進行方向は、レンズ部材８４を通過する際に、反射部材１４１の反射面１５７側（図１１に示す矢印Ｆ１方向）やセンター役物５０の左側装飾部材７８側（図１１に示す矢印Ｆ２方向）に変更される。進行方向が矢印Ｆ２方向に変更された光は、そのまま左側装飾部材７８に照射される。一方、進行方向が矢印Ｆ１方向に変更された光が反射面１５７に到達すると、到達した光は、反射面１５７によって反射される。その結果、光は、進行方向が左側装飾部材７８側（図１１に示す矢印Ｆ３方向）に変更され、左側装飾部材７８に照射される。つまり、左側装飾部材７８には、発光装置８１からの直接光に加えて、反射部材１４１によって反射された反射光も照射されるようになる。
【００５９】
なお、反射面１５７によって反射された光の一部が、左側装飾部材７８側ではなく、再反射面１５８，１５９側に進行する可能性がある。光の一部が再反射面１５８側に進行した場合、進行した光は、再反射面１５８に到達した際に再反射面１５８によって反射される。その結果、光の進行方向が発光装置８１を構成するレンズ部材８４の発光面１２６側（図１０に示す矢印Ｆ４方向）に変更され、矢印Ｆ４方向に進行方向が変更された光は、発光面１２６側に進行する。その後、レンズ部材８４の発光面１２６は、反射部材１４１の反射面１５７によって反射された光をさらに反射させ、左側装飾部材７８などを照射する。
【００６０】
一方、反射面１５７によって反射された光の一部が再反射面１５９側に進行した場合、進行した光は、再反射面１５９に到達した際に再反射面１５９によって反射される。その結果、光の進行方向が反射面１５７側に変更され、進行方向が変更された光は、反射面１５７側に進行する。その後、反射面１５７は、一度反射面１５７によって反射された光を再度反射させ、左側装飾部材７８などを照射する。
【００６１】
従って、本実施形態によれば以下のような効果を得ることができる。
【００６２】
（１）本実施形態のパチンコ機１０では、センター役物５０の後方空間が可動体（右上可動体６６、第１上部可動体６８、第２上部可動体６９）によって占められてしまうが、可動体６６，６８，６９の移動領域外、具体的には、裏ユニット４１において左側装飾部材７８の裏側となる位置よりも外周側の領域を、発光装置８１の設置スペースとして確実に確保することができる。しかも、裏ユニット４１において左側装飾部材７８の裏側となる位置よりも外周側の領域には反射部材１４１が設けられており、左側装飾部材７８には、発光装置８１からの光に加えて、反射部材１４１によって反射された光も照射されるようになっている。従って、上記した外周側の領域を発光装置８１の設置スペースとして確保したために、発光装置８１がセンター役物５０から離間する本実施形態においても、センター役物５０において特に照射したい部位である左側装飾部材７８を、効果的に照射することができる。具体的に言うと、本来、左側装飾部材７８は、発光面が遊技盤面１３ａと平行に配置されており、左側装飾部材７８の裏側に配置した発光装置８１から照射された光によって光るものである。しかし、発光装置８１は、センター役物５０の後方空間が可動体によって占められるのに伴って、裏ユニット４１において左側装飾部材７８の裏側となる位置よりも外周側に追いやられている。この場合、左側装飾部材７８を発光装置８１から照射された光によって光らせることができない。また、可動体の移動領域が左側装飾部材７８によって覆われてしまうため、可動体を確実に見せるためには、左側装飾部材７８の発光面を遊技盤面１３ａに対して略垂直に配置しなければならない。この場合、左側装飾部材７８の発光面の裏側に発光装置８１の発光面１２６が位置するため、左側装飾部材７８は一応光るようになるが、発光装置８１が左側装飾部材７８から離れた位置にあるため、左側装飾部材７８を効率良く全体的に光らせることは困難である。そこで、本実施形態では、発光装置８１からの光と反射部材１４１によって反射された光との両方を左側装飾部材７８に照射するようにしている。その結果、左側装飾部材７８を効率良く全体的に光らせることができる。
【００６３】
（２）本実施形態では、可動体（右上可動体６６、第１上部可動体６８及び第２上部可動体６９）の占有領域及び移動領域を避けた領域に発光装置８１及び反射部材１４１を設置しているため、可動体の占有領域内及び移動領域内に大型の可動体を配置することができる。換言すると、大型の可動体を配置したとしても、発光装置８１及び反射部材１４１の設置スペースが確実に確保されるため、発光装置８１からの光と、反射部材１４１によって反射された光とによって、左側装飾部材７８を確実に光らせることができる。
【００６４】
（３）発光装置８１を、左側装飾部材７８の後方ではなく、左側装飾部材７８の側方に設置した本実施形態の場合であっても、左側装飾部材７８を確実に光らせることができるため、より大型化した左側装飾部材を光らせることもできる。
【００６５】
（４）本実施形態の発光装置８１では、発光基板８２に実装された複数の発光ダイオード８６の前側に、光拡散処理を施した発光面１２６を有するレンズ部材８４が設けられている。発光ダイオード８６には、指向性が強くて照射角が狭いという性質があり、そのままでは光を確実に混ぜ合わせることができず、各発光ダイオード８６が点状に光ってしまうという問題がある。その点、本実施形態によれば、レンズ部材８４を設置したことによって、レンズ部材８４を通過する際に光が拡散されるため、各発光ダイオード８６の光を確実に混ぜ合わせることができる。それゆえ、この構成によれば発光装飾効果を高めることができる。
【００６６】
（５）本実施形態の発光基板８２は、一部がケース部材８３とレンズ部材８４との間に挟み込まれた状態となっている。このため、単に発光基板８２をケース部材８３に対してネジ止めする場合に比べて、発光基板８２の固定強度が向上する。なお、本実施形態では、複数の可動体が移動するために、可動体からの振動が発光基板８２に伝わりやすくなるが、発光基板８２を挟み込んで固定することにより、発光基板８２の位置ずれが防止され、ひいては、発光ダイオード８６からの光を安定的に照射させることができる。
【００６７】
なお、上記実施形態を以下のように変更してもよい。
【００６８】
・上記実施形態の発光装置８１及び反射部材１４１は、裏ユニット４１の本体部４２において表示装置取付孔４７よりも左側となる領域に配置されていたが、本体部４２において表示装置取付孔４７よりも右側となる領域、本体部４２において表示装置取付孔４７よりも上側となる領域、及び、本体部４２において表示装置取付孔４７よりも下側となる領域などに配置してもよい。同様に、発光装置８１からの光と反射部材１４１によって反射された光とが照射される左側装飾部材７８は、センター役物５０の左側部に取り付けられた装飾部材であったが、センター役物５０の右側部、上側部及び下側部などに取り付けられていてもよい。
【００６９】
・上記実施形態では、反射部材１４１を構成する反射部材本体１４２の全面に対して、金色のめっきが鏡面処理として施されていた。しかし、銀色などの他の色のめっきを、鏡面処理として施すようにしてもよい。また、鏡面処理は必ずしもめっきに限定される訳ではなく、金属箔の貼付、蒸着、反射材を含む塗料の塗布、鏡面研磨などを鏡面処理として施してもよい。また、上記実施形態では、反射部材本体１４２の全面に鏡面処理が施されていたが、鏡面処理は、少なくとも反射面１５７及び再反射面１５８，１５９に施されていればよい。
【００７０】
次に、前述した実施形態によって把握される技術的思想を以下に列挙する。
【００７１】
（１）上記手段３において、前記発光体は発光ダイオードであることを特徴とする遊技機。
【００７２】
（２）上記手段１乃至６のいずれか１つにおいて、前記反射部材は、従来から用いられている反射部材の一部を切り欠くことによって形成されたものであることを特徴とする遊技機。
【００７３】
（３）上記手段１乃至６のいずれか１つにおいて、前記反射部材は、全面に鏡面処理が施されていることを特徴とする遊技機。
【００７４】
（４）上記手段１乃至６のいずれか１つにおいて、前記裏ユニットは複数の可動体を備え、前記複数の可動体は前記センター役物の裏側の空間を占めており、前記可動体の占有領域外及び移動領域外に、前記発光装置及び前記反射部材が配置されることを特徴とする遊技機。
【００７５】
（５）上記手段３において、前記レンズ部材は、前記板部材の面方向に対して傾斜しており、前記発光基板と平行に配置されていることを特徴とする遊技機。
【符号の説明】
【００７６】
１０…遊技機としてのパチンコ機
１３…遊技盤
３１…板部材
３２…遊技領域
４１…裏ユニット
４１ａ…裏ユニットの裏面
５０…センター役物
７８…装飾部材としての左側装飾部材
８１…発光装置
８２…発光基板
８３…ケース部材
８４…レンズ部材
８６…発光体としての発光ダイオード
１２６…発光装置の発光面
１４１…反射部材
１５６…切欠凹部
１５７…反射面
１５８，１５９…再反射面
【図１】
0005864357.tif 000002
【図２】
0005864357.tif 000003
【図３】
0005864357.tif 000004
【図４】
0005864357.tif 000005
【図５】
0005864357.tif 000006
【図６】
0005864357.tif 000007
【図７】
0005864357.tif 000008
【図８】
0005864357.tif 000009
【図９】
0005864357.tif 000010
【図１０】
0005864357.tif 000011
【図１１】
0005864357.tif 000012
【図１２】
0005864357.tif 000013
【図１３】
0005864357.tif 000014